(57)【特許請求の範囲】
【請求項１】
冷蔵庫の収容室の前面開口に引出可能に設けられた引出扉と、
前記引出扉を前後方向に移動させるためのスライド機構と、
左右方向を軸方向とする回動軸を周りに前記引出扉を回動させる回動機構と、
前記引出扉のスライド動作に連動してスライド移動するとともに、前記引出扉の回動動作に連動して左右方向を軸方向とする軸周りに回動する連動体と、
前記連動体の移動を案内する連動体案内部と、を備え、
前記回動機構は、前記前面開口に平行な第１姿勢と、前記前面開口に対して前方に傾斜した第２姿勢との間で、前記引出扉を回動可能に構成され、
前記連動体案内部は、前記連動体の回動を制限することで前記引出扉が前記第１姿勢にある状態を維持する回動制限部と、前記連動体の回動を許容することで前記引出扉が前記第２姿勢を取り得る回動許容部と、を含み、
前記回動制限部は、前記収容室の後面側から前方に向かって延在し、
前記回動許容部は、前記回動制限部よりも前方側に位置し、
前記回動許容部は、前記引出扉が前記第２姿勢にある場合に、前記引出扉を後方に向けて移動させる際に前記連動体を強制的に回動させることにより、前記引出扉を前記第２姿勢から前記第１姿勢に強制的に回動させる回動強制部を有し、
前記スライド機構は、前記引出扉を前方側へ移動不能となる前端位置と前記引出扉が前記前面開口を塞ぐ後端位置との間で前記引出扉を移動可能に構成され、
前記引出扉が前記前端位置に到達した際に、前記連動体が前記回動許容部に到達し、前記引出扉が回動可能となる、冷蔵庫の引出装置。
【請求項２】
前記引出扉が前記第１姿勢にある状態をロックするロック機構をさらに備えた、請求項１に記載の冷蔵庫の引出装置。
【請求項３】
冷蔵庫の収容室の前面開口に引出可能に設けられた引出扉と、
前記引出扉を前後方向に移動させるためのスライド機構と、
左右方向を軸方向とする回動軸を周りに前記引出扉を回動させる回動機構と、
前記引出扉のスライド動作に連動してスライド移動するとともに、前記引出扉の回動動作に連動して左右方向を軸方向とする軸周りに回動する連動体と、
前記連動体の移動を案内する連動体案内部と、を備え、
前記回動機構は、前記前面開口に平行な第１姿勢と、前記前面開口に対して前方に傾斜した第２姿勢との間で、前記引出扉を回動可能に構成され、
前記連動体案内部は、前記連動体の回動を制限することで前記引出扉が前記第１姿勢にある状態を維持する回動制限部と、前記連動体の回動を許容することで前記引出扉が前記第２姿勢を取り得る回動許容部と、を含み、
前記回動制限部は、前記収容室の後面側から前方に向かって延在し、
前記回動許容部は、前記回動制限部よりも前方側に位置し、
前記回動許容部は、前記引出扉が前記第２姿勢にある場合に、前記引出扉を後方に向けて移動させる際に前記連動体を強制的に回動させることにより、前記引出扉を前記第２姿勢から前記第１姿勢に強制的に回動させる回動強制部を有し、
前記引出扉が前記第１姿勢にある状態をロックするロック機構をさらに備え、
前後方向に沿った前記回動許容部の一端側から他端側までの任意の位置で、前記ロック機構による前記引出扉のロックを解除することにより、前記引出扉が回動可能となる、冷蔵庫の引出装置。
【請求項４】
冷蔵庫の収容室の前面開口に引出可能に設けられた引出扉と、
前記引出扉を前後方向に移動させるためのスライド機構と、
左右方向を軸方向とする回動軸を周りに前記引出扉を回動させる回動機構と、
前記引出扉のスライド動作に連動してスライド移動するとともに、前記引出扉の回動動作に連動して左右方向を軸方向とする軸周りに回動する連動体と、
前記連動体の移動を案内する連動体案内部と、を備え、
前記回動機構は、前記前面開口に平行な第１姿勢と、前記前面開口に対して前方に傾斜した第２姿勢との間で、前記引出扉を回動可能に構成され、
前記連動体案内部は、前記連動体の回動を制限することで前記引出扉が前記第１姿勢にある状態を維持する回動制限部と、前記連動体の回動を許容することで前記引出扉が前記第２姿勢を取り得る回動許容部と、を含み、
前記回動制限部は、前記収容室の後面側から前方に向かって延在し、
前記回動許容部は、前記回動制限部よりも前方側に位置し、
前記回動許容部は、前記引出扉が前記第２姿勢にある場合に、前記引出扉を後方に向けて移動させる際に前記連動体を強制的に回動させることにより、前記引出扉を前記第２姿勢から前記第１姿勢に強制的に回動させる回動強制部を有し、
前記スライド機構は、前記引出扉の後面の左右のそれぞれに前端側が取り付けられるとともに、前記引出扉を前記回動軸周りに回動可能に支持する一対のフレームと、前記収容室の左側内壁面および右側内壁面のそれぞれに前後方向に延在するように固定されるとともに、前記一対のフレームを前後方向にスライド移動可能に支持する一対の引出レールとを含み、
前記一対のフレームに載置される収容ケースを、さらに備え、
前記引出扉の前記回動軸は、前記収容ケースの前面側であって、前記収容ケースの底面よりも低い位置に位置する、冷蔵庫の引出装置。
【請求項５】
前記収容ケースの前記底面の前端部が、前方に向かうにつれて上方に向かうように傾斜している、請求項４に記載の冷蔵庫の引出装置。
【発明の詳細な説明】
【技術分野】
【０００１】
本発明は、回動可能な引出扉を備える冷蔵庫の引出装置に関する。
【背景技術】
【０００２】
従来の冷蔵庫が開示された文献として、たとえば特開２０１０−１４３４１号公報（特許文献１）が挙げられる。
【０００３】
特許文献１に開示の冷蔵庫にあっては、引出扉が起立した状態から前方側へ傾斜した状態に回動可能に構成されている。被冷却物を冷蔵庫に収容する際に、引出扉を前方側へ傾斜した状態とすることにより、冷蔵庫の前方側から被冷却物を収容することができ、被冷却物の収容を容易に行なうことができる。
【先行技術文献】
【特許文献】
【０００４】
【特許文献１】特開２０１０−１４３４１号公報
【発明の概要】
【発明が解決しようとする課題】
【０００５】
しかしながら、特許文献１に開示の冷蔵庫にあっては、引出扉が前方側へ傾斜した状態で、引出扉を引き戻すことができる。このため、使用者が、傾斜した状態の引出扉を起立した状態に回動させることを忘れて、引出扉を引き戻した場合には、収容室の前面開口が引出扉によって塞がれないことが懸念される。このような場合には、収容室に収容された被収容物を十分に冷却して保存できなくなる。
【０００６】
本発明は、上記のような問題に鑑みてなされたものであり、本発明の目的は、収容室の前面開口を確実に塞ぐことができる冷蔵庫の引出装置を提供することにある。
【課題を解決するための手段】
【０００７】
本発明に基づく冷蔵庫の引出装置は、冷蔵庫の収容室の前面開口に引出可能に設けられた引出扉と、上記引出扉を前後方向に移動させるためのスライド機構と、左右方向を軸方向とする回動軸を周りに上記引出扉を回動させる回動機構と、上記引出扉のスライド動作に連動してスライド移動するとともに、上記引出扉の回動動作に連動して左右方向を軸方向とする軸周りに回動する連動体と、上記連動体の移動を案内する連動体案内部と、を備え、上記回動機構は、上記前面開口に平行な第１姿勢と、上記前面開口に対して前方に傾斜した第２姿勢との間で、上記引出扉を回動可能に構成され、上記連動体案内部は、上記連動体の回動を制限することで上記引出扉が上記第１姿勢にある状態を維持する回動制限部と、上記連動体の回動を許容することで上記引出扉が上記第２姿勢を取り得る回動許容部と、を含む。上記回動制限部は、上記収容室の後面側から前方に向かって延在し、上記回動許容部は、上記回動制限部よりも前方側に位置し、上記回動許容部は、上記引出扉が上記第２姿勢にある場合に、上記引出扉を後方に向けて移動させる際に上記連動体を強制的に回動させることにより、上記引出扉を上記第２姿勢から上記第１姿勢に強制的に回動させる回動強制部を有する。
【０００８】
上記本発明に基づく冷蔵庫の引出装置にあっては、上記スライド機構は、上記引出扉を前方側へ移動不能となる前端位置と上記引出扉が上記前面開口を塞ぐ後端位置との間で上記引出扉を移動可能に構成されることが好ましく、上記引出扉が上記前端位置に到達した際に、上記連動体が上記回動許容部に到達し、上記引出扉が回動可能となることが好ましい。
【０００９】
上記本発明に基づく冷蔵庫の引出装置にあっては、上記引出扉が上記第１姿勢にある状態をロックするロック機構をさらに備えることが好ましい。
【００１０】
上記本発明に基づく冷蔵庫の引出装置にあっては、上記スライド機構は、上記引出扉の後面の左右のそれぞれに前端側が取り付けられるとともに、上記引出扉を上記回動軸周りに回動可能に支持する一対のフレームと、上記収容室の左側内壁面および右側内壁面のそれぞれに前後方向に延在するように固定されるとともに、上記一対のフレームを前後方向にスライド移動可能に支持する一対の引出レールとを含むことが好ましい。この場合には、上記冷蔵庫の引出装置は、上記一対のフレームに載置される収容ケースを、さらに備えることが好ましく、上記引出扉の上記回動軸は、上記収容ケースの前面側であって、上記収容ケースの底面よりも低い位置に位置することが好ましい。
【００１１】
上記本発明に基づく冷蔵庫の引出装置にあっては、上記収容ケースの上記底面の前端部が、前方に向かうにつれて上方に向かうように傾斜していることが好ましい。
【発明の効果】
【００１２】
本発明によれば、収容室の前面開口を確実に塞ぐことができる冷蔵庫の引出装置を提供することができる。
【図面の簡単な説明】
【００１３】
【図１】実施の形態１に係る冷蔵庫の概略斜視図である。
【図２】実施の形態１に係る冷蔵庫の引出装置を示す冷蔵庫の部分斜視図である。
【図３】実施の形態１に係る冷蔵庫の引出装置の引出扉側に位置する構成要素の分解斜視図である。
【図４】実施の形態１に係る引出扉の回動動作が終了した状態における引出扉、および引出扉側に設けられた引出機構ならびに回動機構を示す斜視図である。
【図５】実施の形態１に係る引出扉が回動する前の状態における引出扉側に設けられた冷蔵庫の引出装置の構成要素を示す斜視図である。
【図６】実施の形態１に係る引出扉が回動した後の状態における引出扉側に設けられた冷蔵庫の引出装置の構成要素を示す斜視図である。
【図７】実施の形態１に係る引出扉の分解斜視図である。
【図８】実施の形態１に係る引出扉の内部の構成の分解斜視図である。
【図９】実施の形態１に係るロック機構によって引出扉の姿勢がロックされている状態を示す概略断面図である。
【図１０】実施の形態１に係る冷蔵庫室内側に設けられた冷蔵庫の引出装置の構成要素を示す部分斜視図である。
【図１１】実施の形態１に係る冷蔵庫において、引出扉が引き出される前の状態を示す断面図である。
【図１２】実施の形態１に係る冷蔵庫において、引出扉の引出動作のみが終了した状態を示す断面図である。
【図１３】実施の形態１に係る冷蔵庫において、引出扉の引出動作と回動動作とが終了した状態を示す断面図である。
【図１４】実施の形態２に係る冷蔵庫の引出装置において、冷蔵庫室内側に設けられた構成要素を示す部分断面図である。
【図１５】実施の形態２に係る冷蔵庫において、引出扉の引出動作と回動動作とが終了した状態を示す断面図である。
【発明を実施するための形態】
【００１４】
以下、本発明の実施の形態について、図を参照して詳細に説明する。なお、以下に示す実施の形態においては、同一のまたは共通する部分について図中同一の符号を付し、その説明は繰り返さない。
【００１５】
（実施の形態１）
図１は、本実施の形態に係る冷蔵庫の概略斜視図である。図２は、本実施の形態に係る冷蔵庫の引出装置を示す冷蔵庫の部分斜視図である。図１および図２を参照して、本実施の形態に係る冷蔵庫１について説明する。
【００１６】
図１および図２に示すように、本実施の形態に係る冷蔵庫１は、複数の貯蔵室を有する断熱箱体２と、各収容室を開閉するための扉３および引出扉４，５とを備える。断熱箱体２は、外箱と内箱とこれらの間に充填された断熱材とによって構成されている。
【００１７】
断熱箱体２内は、仕切部７によって、上下方向（図中Ｚ軸方向）に並ぶ複数の貯蔵室に区画される。たとえば、複数の収容室とは、上から順に、冷蔵室、野菜室、冷凍室である。なお、貯蔵室の種類、数、配置はこれに限定されない。
【００１８】
扉３は、左右方向（図中Ｘ軸方向）の一端側において、上下方向に延在する回転軸周りに回転可能に設けられている。引出扉４，５は、前後方向（図中Ｙ軸方向）に引出可能に構成されている。さらに、引出扉４は、下端側において、左右方向に延在する回動軸周りに回動可能に構成されている。引出扉４は、後述する引出装置１００の一部を構成する。なお、引出扉５は、左右方向に延在する軸周りに回動可能に構成されていてもよいし、回動不能に構成されていてもよい。
【００１９】
冷蔵庫１は、さらに図示しない冷却回路、制御装置等を備える。冷却回路によって生成された冷気が、複数の貯蔵室を循環することにより、複数の貯蔵室が所定の温度に保たれる。
【００２０】
図２に示すように、冷蔵庫１は、引出装置１００を備える。引出装置１００は、引出扉４、収容ケース１０（図３参照）、スライド機構２０、回動機構３０、回動連動機構４０、連動体案内部４５（図１０参照）、ロック機構５０（図７参照）および収容ケース移動機構７０（図５参照）を備える。
【００２１】
引出扉４は、冷蔵庫１の収容室６の前面開口６ａに引出可能に設けられている。収容室６は、断熱箱体２の左側内壁面６ｃと、右側内壁面６ｄと、後方壁部６ｂと、仕切部７とによって規定され、前面側に開放されている。引出扉４は、前面４ａ側に設けられた凹部４ｅを有する。凹部４ｅは、使用者の指先を引掛け可能に構成されている。
【００２２】
スライド機構２０は、引出扉４を前後方向に移動させるためのものである。スライド機構２０は、引出扉４を前方側へ移動不能となる前端位置Ｐ２（図１２参照）、と引出扉４が収容室６の前面開口６ａを塞ぐ後端位置Ｐ１（図１２参照）との間で前記引出扉を移動可能に構成されている。
【００２３】
回動機構３０は、左右方向を軸方向とする回動軸周りに引出扉４を回動させるためのものである。具体的には、回動機構３０は、収容室６の前面開口６ａに平行な第１姿勢と、当該前面開口６ａに対して前方に傾斜した第２姿勢との間で、引出扉４を回動可能に構成されている。
【００２４】
収容ケース移動機構７０は、引出扉４の回動動作に応じて収容ケース１０を前後方向に移動させるものである。収容ケース１０は、貯蔵物を収容するケースである。なお、引出装置１００の各構成要素の詳細な構成については、図３から図７を用いて後述する。
【００２５】
図３は、本実施の形態に係る冷蔵庫の引出装置の引出扉側に位置する構成要素の分解斜視図である。図４は、本実施の形態に係る引出扉の回動動作が終了した状態における引出扉、および引出扉側に設けられた引出機構ならびに回動機構を示す斜視図である。図３および図４を参照して、引出装置１００の引出扉４側に設けられた各構成要素について説明する。
【００２６】
図３，４に示すように、収容ケース１０は、上方に向けて開口する箱側形状を有する。収容ケース１０の左右方向の両側壁部には、上下方向に延在する溝部１２が設けられている。溝部１２は、前方側に設けられている。溝部１２は、下端に達するように設けられている。溝部１２には、後述するピン１６の先端が入り込む。
【００２７】
収容ケース１０の左右方向の両側壁部には、外側に突出するフランジ部１３が設けられている。フランジ部１３は、前後方向に延在するように設けられている。フランジ部１３は、後述する一対のフレーム２１の上端に設けられた上端側平坦部２２に載置される部位である。
【００２８】
スライド機構２０は、一対のフレーム２１と、後述する一対の引出レール２８（図１０参照）とを含む。一対のフレーム２１は、前後方向に延在するように設けられている。一対のフレーム２１は、引出扉４の後面４ｂの左右のそれぞれに前端２１ａ側が取り付けられる。一対のフレーム２１は、引出扉４を左右方向に延在する回動軸周りに回動可能に支持する。一対のフレーム２１は、前後方向にスライド移動可能に一対の引出レール２８に支持される。
【００２９】
一対のフレーム２１は、上端側に設けられた上端側平坦部２２と、下端側に設けられた下端側平坦部２３と、上端側平坦部２２と下端側平坦部２３とを接続するプレート部２４と、後端２１ｂ側にそれぞれ取り付けられた一対の可動ローラ２５を含む。
【００３０】
上端側平坦部２２は、プレート部２４の上端側から外側に折れ曲がるように設けられている。上端側平坦部２２の下面は、後述するキャビネットローラ２９（図１０参照）に当接する。下端側平坦部２３は、プレート部２４の下端側から外側に折れ曲がるように設けられている。
【００３１】
プレート部２４の前方側は、下端側平坦部２３よりも下方に突出する部分を含む。当該下方に突出する部分は、後述する回動機構３０の第２プレート部３３に固定ピン１５を介して固定される。
【００３２】
プレート部２４の前方側には、略円弧形状の案内穴２７が設けられている。案内穴２７は、上方に向かうにつれて前方へ湾曲する。案内穴２７は、後述するピン１６の移動を案内する。一対の可動ローラ２５は、一対の引出レール２８（図１０参照）上を転動する。
【００３３】
一対の引出レール２８は、収容室６の左側内壁面６ｃおよび右側内壁面６ｄのそれぞれに前後方向に延在するように設けられる。一対の引出レール２８は、一対の可動ローラ２５をそれぞれ転動可能に支持する。
【００３４】
回動機構３０は、一対のフレーム２１の前端側のそれぞれに引出扉４を回動可能に接続する。回動機構３０は、略Ｌ字形状を有する接続プレート３１を有する。
【００３５】
接続プレート３１は、引出扉４の後面４ｂに略平行な第１プレート部３２と、第１プレート部３２の外側端部側から後方に向けて突出する第２プレート部３３とを有する。第１プレート部３２は、引出扉４の後面４ｂにビス等で固定される。
【００３６】
第２プレート部３３は、固定ピン１５によってプレート部２４に対して回動可能に固定される。第２プレート部３３は、固定ピン１５を回動中心として前後方向に回動可能に設けられている。第２プレート部３３が回動する際に、上記ピン１６が案内穴２７に沿って移動する。
【００３７】
回動連動機構４０は、引出扉４の回動に連動して動く。回動連動機構４０は、一対のシャフト支持部４１、連動体としてのシャフト４２、および一対の回動力伝達部４３を有する。シャフト４２は、左右方向に延在する。シャフト４２は、左右方向を軸方向とする軸周りに回動可能に構成されている。
【００３８】
一対のシャフト支持部４１は、それぞれ板状形状を有する。一対のシャフト支持部４１は、シャフト４２を支持する。具体的には、一対のシャフト支持部４１の上端側に設けられた挿通孔にシャフト４２が挿通されて固定される。
【００３９】
一対のシャフト支持部４１の下端側は、ピン１７によって一対のフレーム２１の後端２１ｂ側に固定される。一対のシャフト支持部４１は、一対のフレーム２１に対して回動可能に固定される。一対のシャフト支持部４１は、ピン１７を回動中心として前後方向に回動可能に設けられる。
【００４０】
一対のシャフト支持部４１が前後方向に回動することにより、一対のシャフト支持部４１の上端側に支持されるシャフト４２が、左右方向を軸方向とする軸周りに（前後方向に）回動する。
【００４１】
一対の回動力伝達部４３は、略Ｌ字形状を有する。一対の回動力伝達部４３は、後端側が上方に向かうように設けられている。
【００４２】
一対の回動力伝達部４３の前端側は、ピン１６によって接続プレート３１の第２プレート部３３に接続される。一対の回動力伝達部４３の後端側は、一対のシャフト支持部４１の上端側に接続される。
【００４３】
一対の回動力伝達部４３は、引出扉４の回動に連動して回動力をシャフト４２に伝達する。
【００４４】
引出扉４が上述の第１姿勢にある状態から前方側へ回動して、接続プレート３１が前方側に回動した場合には、接続プレート３１に接続される一対の回動力伝達部４３は、前方側に引っ張られる。これにより、一対の回動力伝達部４３に接続される一対のシャフト支持部４１も前方側に引っ張られる。
【００４５】
一対のシャフト支持部４１は、前方側に引っ張られることにより、下端側のピン１７を回転中心として、上端側が前方側に向かうように回動する。これに伴ってシャフト４２が一対のシャフト支持部４１と一体に回動する。シャフト４２は、一対のシャフト支持部４１の回動中心を通り、左右方向に延在する回動軸周りに回動する。
【００４６】
引出扉４が上述の第２姿勢にある状態から後方側へ回動して、接続プレート３１が後方側に回動した場合には、接続プレート３１に接続される一対の回動力伝達部４３は、後方側へ押される。これにより、一対の回動力伝達部４３に接続される一対のシャフト支持部４１も後方側へ押される。
【００４７】
一対のシャフト支持部４１は、後方側へ押されることにより、下端側のピン１７を回転中心として、上端側が後方側に向かうように回動する。これに伴ってシャフト４２が一対のシャフト支持部４１と一体に回動する。シャフト４２は、一対のシャフト支持部４１の回動中心を通り、左右方向に延在する回動軸周りに回動する。
【００４８】
このように、回動力伝達部４３が引出扉４の回動に連動してシャフト４２を回動させる回動力を伝達することにより、シャフト４２は、引出扉４の回動動作に連動して左右方向を軸方向とする軸周りに回動する。
【００４９】
加えて、シャフト４２は、引出扉４のスライド動作に連動して前後方向にスライド移動する。なお、シャフト４２がスライド移動することについては、図１１から図１３を用いて後述する。
【００５０】
一方で、一対の回動力伝達部４３は、シャフト４２の回動に連動して回動力を引出扉４に伝達する。
【００５１】
引出扉４が前方へ回動して上述の第２姿勢となった状態から、シャフト４２が後方側に回動させられた場合には、シャフト４２を支持する一対のシャフト支持部４１が、ピン１７を回転中心として、後方側へ回動する。これにより、一対のシャフト支持部４１に接続される一対の回動力伝達部４３が後方側に引っ張られる。
【００５２】
一対の回動力伝達部４３が後方側に引っ張られることにより、一対の回動力伝達部４３の前端側に接続されたピン１６が後方側に引っ張られる。これにより、ピン１６は、一対のフレーム２１に設けられた案内穴２７に沿って後方側に移動する。
【００５３】
このピン１６の移動に伴って、ピン１６に接続された回動機構３０の第２プレート部３３が後方側に回動する。これにより、第１プレート部３２を介して第２プレート部３３に接続された引出扉４が後方側に回動する。
【００５４】
このように、一対の回動力伝達部４３は、シャフト４２の回動に連動して回動力を引出扉４に伝達することにより、引出扉４が回動する。
【００５５】
図５および図６は、本実施の形態に係る引出扉が回動する前の状態および引出扉が回動した後の状態における引出扉側に設けられた冷蔵庫の引出装置の構成要素を示す斜視図である。図５および図６を参照して、引出扉４の回動動作に伴う収容ケース１０の動きについて説明する。
【００５６】
図５および図６に示すように、シャフト４２は、収容ケース１０よりも後方に位置し、一対のフレーム２１の後端２１ｂ側において回動可能に取り付けられている。シャフト４２は、上述のように、引出扉４の回動動作に連動して、引出扉４の回動方向に回動する。
【００５７】
図５に示すように、引出扉４が回動する前の状態（引出扉４が第１姿勢にある状態）においては、ピン１６は、案内穴２７の後端側に位置する。ピン１６は、一対のフレーム２１のプレート部２４および接続プレート３１の第２プレート部３３を貫通するように設けられる。ピン１６は、一対のフレーム２１の内側に位置する一対の回動力伝達部４３を第２プレート部３３に固定する。
【００５８】
ピン１６は、左右方向に対向する一対のフレーム２１の内側面から左右方向の内側に突出する。ピン１６は、収容ケース１０の溝部１２内に入り込んでいる。ピン１６は、溝部１２の下端側に位置する。
【００５９】
図６に示すように、引出扉４が回動した後の状態（引出扉４が第２姿勢にある状態）においては、ピン１６は、案内穴２７の前端側に位置する。ピン１６は、収容ケース１０の溝部１２内に入り込んでいる。ピン１６は、溝部１２の上端側に位置する。
【００６０】
図５および図６に示すように、引出扉４の回動に連動して、接続プレート３１が、ピン１５を回動中心として、引出扉４の回動方向に回動する。ピン１５の軸線が、引出扉４の回動軸となる。引出扉４の回動軸は、収容ケース１０の底面よりも低い位置にある。これにより、引出扉４が回動する際に、収容ケース１０の底面の前端側と引出扉４との間に空間が形成され、収容ケース１０の前方への移動が可能となる。
【００６１】
収容ケース１０の底面の前端部が、前方に向かうにつれて上方に向かうように傾斜していてもよい。これにより、引出扉４が回動する際に、収容ケース１０と引出扉４との干渉を防止することができる。この結果、収容ケース１０をより前方側へ移動させることができる。
【００６２】
引出扉４の前方側への回動に連動して接続プレート３１が前方側へ回動することにより、ピン１６がプレート部２４に設けられた案内穴２７に沿って前方側へ移動する。
【００６３】
この際、ピン１６は、収容ケース１０の溝部１２内を上方に向けて移動しつつ、溝部１２の前端側を前方に向けて押す。これにより、収容ケース１０が一対のフレーム２１に載置された状態で前方に移動する。
【００６４】
一方、引出扉４の後方側への回動に連動して接続プレート３１が後方側へ回動することにより、ピン１６がプレート部２４に設けられた案内穴２７に沿って後方側へ移動する。
【００６５】
この際、ピン１６は、収容ケース１０の溝部１２内を下方に向けて移動しつつ、溝部１２の後端側を後方に向けて押す。これにより、収容ケース１０が一対のフレーム２１に載置された状態で後方に移動する。
【００６６】
このように、ピン１６、収容ケース１０の溝部１２、および案内穴２７は、引出扉４の回動動作に応じて収容ケース１０を前後方向に移動させる収容ケース移動機構を構成する。
【００６７】
また、収容ケース１０のフランジ部１３を一対のフレーム２１の上端側平坦部２２に載置する際に、ピン１６の上方側から溝部１２がピン１６に嵌り込む。収容ケース１０が一対のフレーム２１に載置された状態から収容ケース１０を上方側に持ち上げることにより、ピン１６が溝部１２から抜けて、収容ケース１０が一対のフレーム２１から取り外される。
【００６８】
回動可能に設けられたピン１６と、ピン１６の移動を案内する案内穴２７、および収容ケース１０の溝部１２とによって収容ケース移動機構を構成することにより、収容ケース移動機構を簡素化することができる。
【００６９】
図７は、本実施の形態に係る引出扉の分解斜視図である。図８は、本実施の形態に係る引出扉の内部の構成の分解斜視図である。図９は、本実施の形態に係るロック機構によって引出扉の姿勢がロックされている状態を示す概略断面図である。図７から図９を参照して、引出扉４に設けられたロック機構５０について説明する。
【００７０】
ロック機構５０は、引出扉４が収容室６の前面開口６ａに平行な第１姿勢を維持するためのものである。ロック機構５０によるロックを解除することにより、引出扉４は、上記第１姿勢から、収容室６の前面開口６ａに対して前方側へ傾斜した第２姿勢に回動可能となる。ロック機構５０の大部分は、引出扉４の内部に収容されている。
【００７１】
図７から図９に示すように、ロック機構５０は、ボタン５１、第１アーム部５２、第２アーム部５３、バネ５４、シャフト５５、フック部５６、アームカバー５７、およびシャフトカバー５８を含む。
【００７２】
ボタン５１は、引出扉４の凹部４ｅに露出するように設けられている。ボタン５１は、下方に向けて押圧可能に設けられている。
【００７３】
第１アーム部５２は、上下方向に沿って延在する。第１アーム部５２の上端側は、ボタン５１に接続されている。第１アーム部５２の下端側は、第２アーム部５３の前端側に接続されている。
【００７４】
第２アーム部５３は、前後方向に沿って延在する。第２アーム部５３の後端側は、２つに分かれている。第２アーム部５３の後端側には、２つのシャフ支持部５３１が設けられている。２つのシャフト支持部５３１は、左右方向に間隔を空けて設けられている。
【００７５】
２つのシャフト支持部５３１には、左右方向の内側に向けて突出する突起部５３３が設けられている。突起部５３３は、アームカバー５７内に設けられた凹部（不図示）によって回動可能に支持される。これにより、第２アーム部５３は、左右方向に沿った突起部５３３の中心軸を回動軸として回動可能に支持される。
【００７６】
２つのシャフト支持部５３１には、左右方向の外側に向けて開放されたシャフト収容部５３２が設けられている。
【００７７】
シャフト５５は、左右方向に沿って延在する。シャフト５５は、２つ設けられており、各々がシャフト支持部５３１に支持されている。シャフト５５の一端５５ａは、上述のシャフト収容部５３２に嵌合固定されている。シャフト５５の他端側５５ｂは、後述のフック部５６に設けられた後述のシャフト挿入部５６１に挿入されている。
【００７８】
シャフト５５は、第２アーム部５３の回動に応じて左右方向を軸方向とする回転軸周りに回転可能に設けられている。
【００７９】
フック部５６は、２つ設けられている。２つのフック部５６の各々は、２つのシャフト５５のそれぞれに支持されている。フック部５６後端側には、後方側に向けて開放されたシャフト挿入部５６１が設けられている。シャフト挿入部５６１に、シャフト５５の他端側５５ｂが挿入されることにより、フック部５６がシャフト５５に支持される。フック部５６は、シャフト５５の回転に伴って、回転する。
【００８０】
フック部５６は、引出扉４の後面４ｂを貫通し、当該後面４ｂから後方に向けて突出するように設けられている。フック部５６の後端側は、フレーム２１に設けられた被係合部２６に係合可能に設けられている。フック部５６が、被係合部２６に係合することにより、引出扉４が上述の第１姿勢を維持するようにロックされる。
【００８１】
バネ５４は、第２アーム部５３の下方に設けられている。バネ５４は、第２アーム部５３を上方に向けて付勢する。
【００８２】
第１アーム部５２、第２アーム部５３、およびバネ５４は、アームカバー５７によって覆われる。シャフト５５およびフック部５６の後端側は、シャフトカバー５８によって覆われる。
【００８３】
ボタン５１が下方に押されることにより、これに接続される第１アーム部５２が下方に移動する。これにより、第２アーム部５３の前端側が第１アーム部５２によって下方に押される。
【００８４】
第２アーム部５３の前端側が下方に押されることにより、第２アーム部５３が、突起部５３３の中心軸を回動軸として、下方側に回動する。第２アーム部５３の回動によって、シャフト５５が、左右方向を軸方向とする回転軸周りに回転する。シャフト５５の回転に伴って、これに支持されるフック部５６が上方に向けて回転する。
【００８５】
これにより、フック部５６が、被係合部２６に係合した状態が解除される。この結果、引出扉４が上述の第１姿勢を維持するようにロックされた状態が解除され、引出扉４が前方に向けて回動可能となる。
【００８６】
図１０は、本実施の形態に係る冷蔵庫室内側に設けられた冷蔵庫の引出装置の構成要素を示す部分斜視図である。図１０を参照して、引出装置１００の冷蔵庫室内側に設けられた構成要素について説明する。
【００８７】
図１０に示すように、冷蔵庫の収容室６の左側内壁面６ｃおよび右側内壁面６ｄには、一対の引出レール２８、一対のキャビネットローラ２９、および一対の連動体案内部４５が設けられている。
【００８８】
一対の引出レール２８は、上述のように、一対のフレーム２１を前後方向にスライド移動可能に保持する。一対のキャビネットローラ２９は、上述のように、一対のフレーム２１の上端側平坦部２２を支持する。一対のキャビネットローラ２９は、回転可能に設けられている。これにより、一対のフレーム２１の前後方向の移動が容易に行なわれる。
【００８９】
一対の連動体案内部４５は、上下方向におけるシャフト４２の移動を案内する。一対の連動体案内部４５は、前後方向に延在するように設けられている。
【００９０】
一対の連動体案内部４５は、前方側に位置する前方側領域４５ａと、後方側に位置する後方側領域４５ｃと、前方側領域４５ａと後方側領域４５ｃとの間に位置する中間領域４５ｂとを有する。一対の連動体案内部４５のそれぞれは、上側プレート部４６および下側プレート部４７を含む。
【００９１】
上側プレート部４６および下側プレート部４７は、シャフト４２の左側端部または右側端部が間に位置するように設けられる。上側プレート部４６は、後方側領域４５ｃから前方側領域４５ａに亘って前後方向に直線状に延在する。
【００９２】
下側プレート部４７は、第１延在部４７ａ、傾斜部４７ｂ、および第２延在部４７ｃを有する。第１延在部４７ａは、前方側領域４５ａにおいて前後方向に直線状に延在する。傾斜部４７ｂは、中間領域４５ｂにおいて、後方に向かうにつれて上下方向における上側プレート部４６との間隔Ｗが小さくなるように傾斜する。第２延在部４７ｃは、後方側領域４５ｃにおいて前後方向に直線状に延在する。第２延在部４７ｃは、第１延在部４７ａよりも上方側に位置する。
【００９３】
後方側領域４５ｃにおいては、上側プレート部４６と下側プレート部４７との上下方向の間隔が狭くなっており、シャフト４２の回動は制限され、スライド移動のみが可能となる。この後方側領域４５ｃにおいては、ロック機構５０によるロックの有無に関わらず、シャフト４２は、引出扉４のスライド移動に連動してスライド移動する。また、シャフト４２の回動が制限されるため、引出扉４は、第１姿勢にある状態を維持する。
【００９４】
このように、後方側領域４５ｃに位置する上側プレート部４６および第２延在部４７ｃによって、回動制限部４９が構成される。回動制限部４９は、シャフト４２の回動を制限することで引出扉４が上述の第１姿勢にある状態を維持する。回動制限部４９は、収容室６の後面（後方壁部６ｂの内表面）側から前方に向かって延在する。
【００９５】
中間領域４５ｂにおいては、下側プレート部４７が、前方に向かうにつれて上下方向における上側プレート部４６との間隔Ｗが大きくなるように傾斜する。このため、中間領域４５ｂにおいて、ロック機構５０によるロックを解除した場合には、シャフト４２は、下側プレート部４７に当接するまでの範囲内において回動することができる。
【００９６】
前方側領域４５ａにおいては、上側プレート部４６と下側プレート部４７との上下方向の間隔が広くなっている。前方側領域４５ａにおいても、ロック機構５０によるロックを解除した場合には、シャフト４２は、下側プレート部４７に当接するまでの範囲において、回動することができる。前方側領域４５ａにおいては、中間領域４５ｂよりも上側プレート部４６と下側プレート部４７との上下方向における間隔が広くなっており、回動範囲が広くなる。
【００９７】
このように、前方側領域４５ａおよび中間領域４５ｂに位置する上側プレート部４６、第１延在部４７ａおよび傾斜部４７ｂによって、回動許容部４８が構成される。回動許容部４８は、シャフト４２の回動を許容することで引出扉４が第２姿勢を取り得るようにする。回動許容部４８は、回動制限部４９の前方側に位置する。
【００９８】
回動許容部４８においては、下側プレート部４７にシャフト４２が当接して、シャフト４２の回動が規制されることにより、引出扉４の回動が規制される。
【００９９】
図１１は、本実施の形態に係る冷蔵庫において、引出扉が引き出される前の状態を示す断面図である。図１２は、本実施の形態に係る冷蔵庫において、引出扉の引出動作のみが終了した状態を示す断面図である。図１３は、本実施の形態に係る冷蔵庫において、引出扉の引出動作と回動動作とが終了した状態を示す断面図である。図１１から図１３を参照して、引出扉４の引出動作および回動動作について説明する。
【０１００】
図１１に示すように、引出扉４が引き出される前の状態においては、引出扉４は、収容室６の前面開口６ａに平行な第１姿勢を有するとともに、後端位置Ｐ１に位置する。収容室６の前面開口６ａは、引出扉４によって塞がれている。この状態において、収容ケース１０は、収容室６内に収容されている。シャフト４２は、後方側領域４５ｃに位置する。
【０１０１】
この状態から、引出扉４を前方側にスライド移動させることにより、引出扉４が引き出される。上述のように、後方側領域４５ｃにおいては、シャフト４２は、回動が制限され、スライド移動のみ可能となっている。前後方向における後方側領域４５ｃの長さを、前後方向に平行な引出扉４の厚さよりも大きくすることにより、引出扉４の厚み分だけ引出扉４が前方側に引き出された後に、引出扉４の回動が可能となる。これにより、回動の際に、引出扉４が他の扉３，引出扉５に干渉することを防止できる。
【０１０２】
上述のように、シャフト４２が中間領域４５ｂおよび前方側領域４５ａに位置する場合に引出扉４の回動が可能となるが、本実施の形態においては、引出扉４が前端位置Ｐ２に到達するまでの間、引出扉４を回動させない場合を例示する。すなわち、ロック機構５０によって引出扉４が第１姿勢にある状態をロックされており、引出扉４は、シャフト４２の位置が同一の高さ位置となるように前端位置Ｐ２まで引き出される。
【０１０３】
図１２に示すように、引出扉４の引出動作のみが終了した状態においては、収容室６の前面開口６ａは、開放されており、収容ケース１０の大部分が前面開口６ａから突出する。シャフト４２は、前方側領域４５ａに位置する。
【０１０４】
次に、ロック機構５０によるロックを解除し、引出扉４を前方側に回動させる。この引出扉４の回動動作に応じて、上述の収容ケース移動機構が収容ケース１０を前方側へ押し出していく。また、引出扉４の回動動作に連動して、シャフト４２も前方側へ回動する。シャフト４２が前方側に回動することにより、シャフト４２の高さ位置は低くなっていく。
【０１０５】
図１３に示すように、引出扉４の引出動作および回動動作が終了した状態においては、引出扉４は、上述の第２姿勢を有し、収容ケース１０のほぼ全てが前面開口６ａから突出する。なお、収容ケース１０の全てが前面開口６ａから突出するように構成されてもよい。シャフト４２は、下側プレート部４７に当接しており、これにより、引出扉４の前方側への回動が規制されている。
【０１０６】
収容ケース１０のほぼ全てが前面開口６ａから突出することにより、収容ケース１０からの収容物の取り出しおよび収容ケースへの収容を容易に行なうことができる。また、引出扉４が前方側に回動していることにより、引出扉４の上端の高さ位置が低くなっている。これにより、引出扉４の前方側から収容物の取り出しおよび収容ケースへの収納も容易に行なうことができる。
【０１０７】
さらに、引出扉４の回動動作および引出動作が終了した状態において、収容ケース１０が一対のフレーム２１に対して着脱可能となることにより、収容ケース１０を取り出すことができる。これにより、収容ケース１０内および収容室６内の清掃やメンテナンス等を容易に行なうことができる。
【０１０８】
次に、引出扉４の回動動作および引出動作が終了した状態から引出扉４を後端位置Ｐ１に向けて後方へ移動させる際には、引出扉４を後方へ押し込むことでスライド移動させる。この場合には、シャフト４２の両端は、下側プレート部４７に摺動しながら後方側へ移動する。
【０１０９】
中間領域４５ｂにおいて、シャフト４２の両端が、回動強制部としての傾斜部４７ｂに摺動しながら後方側に移動することにより、これにより、上記のように、一対の回動力伝達部４３が、シャフト４２の回動に連動して回動力を引出扉４に伝達することにより、引出扉４が後方側へ回動する。
【０１１０】
シャフト４２の両端が、中間領域４５ｂよりも後方に移動して、後方側領域４５ｃに到達することにより、引出扉４の後方側への回動が制限されるとともに、引出扉４が、収容室６の前面開口６ａと平行な第１姿勢となる。
【０１１１】
なお、上記においては、引出扉４の回動動作および引出動作が終了した状態から引出扉４を後端位置Ｐ１に向けて後方へ移動させる場合を例示して説明したが、引出扉の引出動作が終了しておらず、回動動作のみが終了した状態から引出扉４を後端位置Ｐ１に向けて後方へ移動させる場合においても、同様に、傾斜部４７ｂによってシャフト４２が後方に回動することにより、引出扉４が第１姿勢となる。
【０１１２】
このように、傾斜部４７ｂは、引出扉４が第２姿勢にある場合に、引出扉４を後方に向けて移動させる際にシャフト４２を強制的に回動させることにより、引出扉４を第２姿勢から第１姿勢に強制的に回動させる。
【０１１３】
これにより、引出扉４が後端位置Ｐ１に到達する際には、引出扉４が第１姿勢となっているため、引出扉４によって収容室６の前面開口６ａを確実に塞ぐことができる。
【０１１４】
以上のように、本実施の形態に係る冷蔵庫の引出装置１００にあっては、回動許容部４８が、引出扉４が第２姿勢にある場合に、引出扉４を後方に向けて移動させる際に、引出扉４の回動動作に連動するシャフト４２を強制的に回動させることにより、引出扉４を上記第２姿勢から上記第１姿勢に強制的に回動させる傾斜部４７ｂを有する構成とすることにより、引出扉４によって収容室６の前面開口６ａを確実に塞ぐことができる。
【０１１５】
また、本実施の形態においては、傾斜部４７ｂの傾斜角は、緩やかに構成されている。このため、引出扉４を後方側に向けて移動させる際に、使用者の負荷が引出扉４の回動によって変動することを抑制することができる。
【０１１６】
なお、引出扉４が第２姿勢にある場合に、使用者が、引出扉４を第１姿勢に回動させて、ロック機構５０によって引出扉４が第１姿勢にある状態をロックした後に、後方に向けて引出扉４をスライド移動させてもよい。
【０１１７】
この場合においても、引出扉４が後端位置Ｐ１に到達する際には、引出扉４が第１姿勢となっているため、引出扉４によって収容室６の前面開口６ａを確実に塞ぐことができる。
【０１１８】
（実施の形態２）
図１４は、本実施の形態に係る冷蔵庫の引出装置において、冷蔵庫室内側に設けられた構成要素を示す部分断面図である。図１５は、本実施の形態に係る冷蔵庫において、引出扉の引出動作と回動動作とが終了した状態を示す断面図である。なお、図１５においては、引出動作のみが終了した状態における引出扉４およびシャフト支持部４１の位置を二点鎖線で示している。図１４および図１５を参照して、本実施の形態に係る冷蔵庫１Ｂについて説明する。
【０１１９】
図１４および図１５に示すように、本実施の形態に係る冷蔵庫１Ｂは、実施の形態１に係る冷蔵庫１と比較した場合に、一対の連動体案内部４５Ｂの構成が相違する。その他の構成については、ほぼ同様である。
【０１２０】
本実施の形態に係る一対の連動体案内部４５Ｂにおいては、後方側領域４５ｃが、実施の形態１と比較して、前後方向に長く設けられており、引出扉４が前端位置Ｐ２に到達した際に、シャフト４２が回動許容部４８に到達し、引出扉４が回動可能となる。
【０１２１】
また、本実施の形態に係る傾斜部４７ｂの傾斜角は、実施の形態１に係る傾斜部４７ｂの傾斜角よりも急となるように構成されている。このように構成することにより、第２姿勢にある状態の引出扉４を後方に向けて移動させる際に、傾斜部４７ｂによって、引出扉４の回動動作のみを実施することができる。
【０１２２】
このため、本実施の形態においては、第２姿勢にある引出扉４を後端位置Ｐ１に移動させる場合には、まず、傾斜部４７ｂによってシャフト４２を強制的に回動させることで第２姿勢から第１姿勢に引出扉４を強制的に回動させ、その後、引出扉４を後方へ向けてスライド移動させる。これにより、傾斜角が緩く、引出扉４の回動と、引出扉４のスライド移動とが同時に起こるような場合と比較して、自然な流れで、収容室６の前面開口６ａを引出扉４で塞ぐことができる。
【０１２３】
本実施の形態においても、傾斜部４７ｂによってシャフト４２を強制的に回動させることで第２姿勢から第１姿勢に引出扉４を強制的に回動させることができるため、実施の形態１同様に、収容室６の前面開口６ａを引出扉４で確実に塞ぐことができる。
【０１２４】
（実施の形態３）
上述した実施の形態１および２においては、引出扉の引出装置が、ロック機構５０を備える場合を例示して説明したが、これに限定されず、ロック機構５０を備えていなくてもよい。この場合には、引出扉４を引き出す際には、シャフト４２が中間領域４５ｂを通過する際に、傾斜部４７ｂに沿ってシャフト４２の両端が移動することにより、引出扉４が自動的に前方側へ回動する。シャフト４２が前方側領域４５ａに達した時点で、引出扉４は、第２姿勢となる。
【０１２５】
一方、第２姿勢にある引出扉４を後端位置Ｐ１に向けて移動させる際には、実施の形態１および２同様に、傾斜部４７ｂによって、シャフト４２を強制的に回動させることにより、引出扉４を第２姿勢から上記第１姿勢に強制的に回動させることができる。この結果、実施の形態１および２同様に、引出扉４によって収容室６の前面開口６ａを確実に塞ぐことができる。
【０１２６】
なお、ロック機構５０を備える場合には、使用者がロック機構５０によるロックを解除しない限り、引出扉４が第１姿勢である状態が維持されるため、使用者の意図に反して引出扉４を回動することが防止することができる。
【０１２７】
以上、本発明の実施の形態について説明したが、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【０１２８】
１，１Ｂ  冷蔵庫、２  断熱箱体、３  扉、４  引出扉、４ａ  前面、４ｂ  後面、４ｅ  凹部、５  引出扉、６  収容室、６ａ  前面開口、６ｂ  後方壁部、６ｃ  左側内壁面、６ｄ  右側内壁面、７  仕切部、１０  収容ケース、１２  溝部、１３  フランジ部、１５  固定ピン、１６，１７  ピン、２０  スライド機構、２１  フレーム、２１ａ  前端、２１ｂ  後端、２２  上端側平坦部、２３  下端側平坦部、２４  プレート部、２５  可動ローラ、２７  案内穴、２８  引出レール、２９  キャビネットローラ、３０  回動機構、３１  接続プレート、３２  第１プレート部、３３  第２プレート部、４０  回動連動機構、４１  シャフト支持部、４２  シャフト、４３  回動力伝達部、４５，４５Ｂ  連動体案内部、４５ａ  前方側領域、４５ｂ  中間領域、４５ｃ  後方側領域、４６  上側プレート部、４７  下側プレート部、４７ａ  第１延在部、４７ｂ  傾斜部、４７ｃ  第２延在部、４８  回動許容部、４９  回動制限部、５０  ロック機構、５１  ボタン、５２  第１アーム部、５３  第２アーム部、５４  バネ、５５  シャフト、５６  フック部、５７  アームカバー、５８  シャフトカバー、７０  収容ケース移動機構、１００  引出装置、５３１  シャフト支持部、５３２  シャフト収容部、５３３  突起部、５６１  シャフト挿入部。
【図１】
0006628584.tif 000002
【図２】
0006628584.tif 000003
【図３】
0006628584.tif 000004
【図４】
0006628584.tif 000005
【図５】
0006628584.tif 000006
【図６】
0006628584.tif 000007
【図７】
0006628584.tif 000008
【図８】
0006628584.tif 000009
【図９】
0006628584.tif 000010
【図１０】
0006628584.tif 000011
【図１１】
0006628584.tif 000012
【図１２】
0006628584.tif 000013
【図１３】
0006628584.tif 000014
【図１４】
0006628584.tif 000015
【図１５】
0006628584.tif 000016